(57)【特許請求の範囲】
【請求項１】
熱媒体を加熱する加熱手段と、
前記熱媒体と水との間で熱交換を行う給湯熱交換器と、
前記給湯熱交換器により加熱された水を貯湯する貯湯タンクと、
前記熱媒体により室内を暖房する暖房熱交換器と、
前記熱媒体を送流する熱媒体ポンプと、
前記熱媒体ポンプの吐出側、前記加熱手段、前記給湯熱交換器、前記暖房熱交換器および前記熱媒体ポンプの吸込側を順に環状に接続する循環配管と、
前記循環配管から前記給湯熱交換器をバイパスする第１のバイパス配管と、
前記循環配管から前記暖房熱交換器をバイパスする第２のバイパス配管と、
前記循環配管と前記第１のバイパス配管との合流部に設けられ、前記給湯熱交換器へ流れる熱媒体の流量と前記第１のバイパス配管へ流れる熱媒体の流量との比率を調整する第１の流量調整手段と、
前記循環配管と前記第２のバイパス配管との合流部に設けられ、前記暖房熱交換器へ流れる熱媒体の流量と前記第２のバイパス配管へ流れる熱媒体の流量との比率を調整する第２の流量調整手段と、
前記給湯熱交換器において熱交換を行う給湯要求および前記暖房熱交換器において熱交換を行う暖房要求の度合いに応じて、前記第１の流量調整手段及び前記第２の流量調整手段を制御する制御手段と、
を備える暖房給湯システム。
【請求項２】
前記暖房熱交換器へ流入する熱媒体の流入温度を検出する流入温度検出手段を更に備え、
前記制御手段は、前記流入温度が前記暖房要求から定められる流入温度目標値となるように、前記第１の流量調整手段を制御する請求項１に記載の暖房給湯システム。
【請求項３】
前記暖房熱交換器から流出する熱媒体の流出温度を検出する流出温度検出手段を更に備え、
前記制御手段は、前記流出温度が前記暖房要求から定められる流出温度目標値となるように、前記第２の流量調整手段を制御する請求項１又は２に記載の暖房給湯システム。
【請求項４】
前記熱媒体ポンプの吐出側から前記第２の流量調整手段と前記暖房熱交換器との間とを接続する第３のバイパス配管と、
前記第３のバイパス配管の途中に設けられた第３の流量調整手段と、
前記第２の流量調整手段によって調整される比率に応じて、前記第３の流量調整手段の開度を調整する第２の制御手段と、
を更に備える請求項１乃至３の何れか１項に記載の暖房給湯システム。
【発明の詳細な説明】
【技術分野】
【０００１】
本発明は、暖房給湯システムに係り、特に、ヒートポンプにより加熱された温水を媒体として給湯と暖房を実施する暖房給湯システムに関する。
【背景技術】
【０００２】
従来、例えば特許文献１には、加熱機構にて加熱された温水を暖房端末に循環させることで暖房機能を実現する暖房システムと、加熱機構にて加熱された温水を貯湯タンク内熱交換器に循環させることにより貯湯タンク内の水を加熱する給湯システムと、を備えた暖房給湯システムが開示されている。この暖房給湯システムでは、具体的には、ヒートポンプユニットにて加熱された温水を暖房端末に循環させるための回路と、当該暖房端末をバイパスして貯湯タンク内熱交換器に温水を循環させる回路とを備え、これらの回路の分岐点に設けられた三方弁を切り替えて何れか一方の回路を選択することにより、暖房システムと給湯システムとを使い分けることとしている。
【先行技術文献】
【特許文献】
【０００３】
【特許文献１】特開２０１０−６０２７０号公報
【特許文献２】特開２０１０−８０３６号公報
【発明の概要】
【発明が解決しようとする課題】
【０００４】
しかしながら、従来の暖房給湯システムでは、暖房端末に温水を循環させる回路と貯湯タンク内熱交換器に温水を循環させる回路とを切り替えて各機能を実現している。このため、給湯機能と暖房機能とを同時に実現することはできず、その結果、給湯中に室温が低下し快適性を損ねるという課題があった。
【０００５】
この発明は、上記のような課題を解決するためになされたものであり、給湯要求と暖房要求とを同時に実現することのできる暖房給湯システムを提供することを目的とする。
【課題を解決するための手段】
【０００６】
この発明に係る暖房給湯システムは、熱媒体を加熱する加熱手段と、熱媒体と水との間で熱交換を行う給湯熱交換器と、給湯熱交換器により加熱された水を貯湯する貯湯タンクと、熱媒体により室内を暖房する暖房熱交換器と、熱媒体を送流する熱媒体ポンプと、熱媒体ポンプの吐出側、加熱手段、給湯熱交換器、暖房熱交換器および熱媒体ポンプの吸込側を順に環状に接続する循環配管と、循環配管から給湯熱交換器をバイパスする第１のバイパス配管と、循環配管から暖房熱交換器をバイパスする第２のバイパス配管と、循環配管と第１のバイパス配管との合流部に設けられ、給湯熱交換器へ流れる熱媒体の流量と第１のバイパス配管へ流れる熱媒体の流量との比率を調整する第１の流量調整手段と、循環配管と第２のバイパス配管との合流部に設けられ、暖房熱交換器へ流れる熱媒体の流量と第２のバイパス配管へ流れる熱媒体の流量との比率を調整する第２の流量調整手段と、給湯熱交換器において熱交換を行う給湯要求および暖房熱交換器において熱交換を行う暖房要求の度合いに応じて、第１の流量調整手段及び第２の流量調整手段を制御する制御手段と、を備えるものである。
【発明の効果】
【０００７】
本発明によれば、給湯熱交換器において熱交換を行う給湯要求と暖房熱交換器において熱交換を行う暖房要求とを同時に実現することができる。
【図面の簡単な説明】
【０００８】
【図１】本発明の実施の形態１としての暖房給湯システムの回路構成図である。
【図２】本実施の形態の暖房給湯システムに用いる四方弁の内部構造を説明するための図である。
【図３】給湯運転モードにおける熱媒体の循環回路について説明するための図である。
【図４】暖房運転モードにおける熱媒体の循環回路について説明するための図である。
【図５】暖房給湯運転モードにおける熱媒体の循環回路について説明するための図である。
【図６】本発明の実施の形態２としての暖房給湯システムの回路構成図である。
【発明を実施するための形態】
【０００９】
以下、図面を参照して、本発明の実施の形態について説明する。尚、各図において共通する要素には、同一の符号を付して、重複する説明を省略する。
【００１０】
実施の形態１．
［実施の形態１の構成］
図１は、本発明の実施の形態１としての暖房給湯システム１００の回路構成図である。図１に示す暖房給湯システム１００は、蒸気圧縮式冷凍サイクル（ヒートポンプサイクル）の冷媒回路を搭載したヒートポンプユニット１と、貯湯タンク１１内の水を加熱する加熱循環回路を搭載した貯湯タンクユニット１０と、加熱循環回路の一部により構成され、室内を暖房する暖房ユニット３０とを備えている。
【００１１】
ヒートポンプユニット１と貯湯タンクユニット１０とは、熱媒体配管１２，１３を介して接続されている。貯湯タンクユニット１０と暖房ユニット３０とは、熱媒体配管１４，１５を介して接続されている。また、貯湯タンクユニット１０は、給湯端末（例えば、台所や洗面所等の蛇口）に繋がる給湯管１７と、水道等の水源から給水するための給水管１６とに接続されている。
【００１２】
ヒートポンプユニット１は、圧縮機２と、冷媒−水熱交換器（凝縮器）３と、膨張弁４と、蒸発器５とを冷媒配管６により環状に接続した冷媒回路を搭載している。圧縮機２は、冷媒を吸入し圧縮して高温高圧の状態にする。冷媒−水熱交換器３は、熱媒体（たとえば、水）と冷媒とを熱交換させることで、熱媒体を加熱し、冷媒を冷却する。冷媒−水熱交換器３は、例えばプレート式熱交換器により構成される。膨張弁４は、冷媒を減圧して低温低圧の状態にする。蒸発器５は、外気と冷媒を熱交換させることで、外気から熱を吸収して冷媒を加熱する。尚、ヒートポンプユニット１の冷媒回路に用いられる冷媒は、特に限定されず、例えば、Ｒ４１０Ａ、Ｒ３２、ＨＦＯ−１２３４ｙｆ、炭化水素や二酸化炭素のような自然冷媒、などを用いることができる。また、本実施の形態では、循環回路に用いられる熱媒体として水を用いた場合について説明するが、使用可能な熱媒体は特に限定されず、本システムの使用各国における規制の範囲内で、種々の液体（例えば、エチレングリコール、プロピレングリコール、或いはこれらの混合物など）を用いることができる。
【００１３】
貯湯タンクユニット１０には、上述した貯湯タンク１１、熱媒体配管１２，１３，１４，１５、給湯管１７、給水管１６の他、熱媒体ポンプ１８、給湯熱交換器１９、四方弁２０、バイパス配管２２，２３、および温度センサ２４等が搭載されている。図２は、本実施の形態の暖房給湯システム１００に用いる四方弁２０の内部構造を説明するための図である。以下、図１および図２を参照して、本実施の形態の暖房給湯システムの構成について更に詳細に説明する。
【００１４】
四方弁２０は、熱媒体の流量配分を調整する手段として機能するものである。具体的には、四方弁２０は、２つの入口ａ，ｂと、２つの出口ｃ，ｄと、を備え、入口ａ，ｂ、および出口ｃ，ｄの流量をそれぞれ調整する機能を有している。熱媒体配管１２は、冷媒−水熱交換器３における熱媒体の吐出側と四方弁２０の入口ａとを接続している。熱媒体配管１２途中には給湯熱交換器１９が配設されている。給湯熱交換器１９は、熱媒体と貯湯タンク１１内の水とを熱交換させることで、水を加熱し熱媒体を冷却する。温度センサ２４は、給湯熱交換器１９から吐出する熱媒体の温度を検出する。
【００１５】
熱媒体配管１３は、冷媒−水熱交換器３における熱媒体の吸込側と熱媒体配管１５の一端とを接続している。熱媒体配管１３の途中には、熱媒体ポンプ１８が配設されている。熱媒体ポンプ１８は、熱媒体配管１３内の熱媒体を冷媒−水熱交換器３内へ送水する機能を有している。また、熱媒体配管１４は、四方弁２０の出口ｄと後述する暖房熱交換器３１，３２の入口側とを接続している。更に、暖房熱交換器３１，３２の出口側は、熱媒体配管１５の他端に接続されている。温度センサ２５は、出口ｄから流出した熱媒体の温度を検出する。また、温度センサ２６は、暖房熱交換器３１，３２から流出した熱媒体の温度を検出する。
【００１６】
バイパス配管２２は、熱媒体配管１２における冷媒−水熱交換器３と給湯熱交換器１９との間と四方弁２０の入口ｂとを接続している。また、バイパス配管２３は、熱媒体配管１３と熱媒体配管１４の接続部と四方弁２０の出口ｃとを接続している。
【００１７】
暖房ユニット３０は、給湯端末としての暖房熱交換器３１，３２を備えている。暖房熱交換器３１，３２に熱媒体を流すことによって、室内の空気を暖房する。尚、本実施の形態では給湯端末を２台にしているが、１台若しくは３台以上としても良い。また、暖房熱交換器３１，３２としては、例えばラジエータ、ファンコイルユニット、床暖房ヒータ等の暖房熱交換器を用いることができる。
【００１８】
［実施の形態１の動作］
暖房給湯システム１００は、暖房ユニット３０に要求される暖房要求（すなわち、暖房熱交換器３１，３２において熱交換を行う要求）及び貯湯タンクユニット１０に要求される給湯要求（すなわち、給湯熱交換器１９において熱交換を行う要求）に応じて、ヒートポンプユニット１、貯湯タンクユニット１０及び暖房ユニット３０に搭載されている各機器の制御を行い、暖房運転モード、給湯運転モード、または暖房給湯運転モードを実行する。以下、各運転モードにおける運転動作について詳細に説明する。
【００１９】
（給湯運転モード）
先ず、図３を参照して、給湯運転モードについて説明する。図３は、給湯運転モードにおける熱媒体の循環回路について説明するための図である。尚、図３中の矢印は冷媒および熱媒体の流れ方向を示している。暖房要求が出されていない状態で給湯要求が出されると給湯運転モードによる運転が行われる。給湯運転モードでは、この図に示すとおり、四方弁２０は入口ａと出口ｃとが連通するように調整される。これにより、熱媒体ポンプ１８、冷媒−水熱交換器３、給湯熱交換器１９、および四方弁２０が、熱媒体配管１３、熱媒体配管１２、およびバイパス配管２３によって環状に接続された熱媒体の循環回路が形成される。この状態にてヒートポンプユニット１及び貯湯タンクユニット１０の運転を実施する。そうすると、形成された循環回路では、熱媒体ポンプ１８により送流された熱媒体は貯湯タンクユニット１０より流出し、熱媒体配管１３を経由してヒートポンプユニット１に流入する。熱媒体は、ヒートポンプユニット１に流入後、冷媒−水熱交換器３にて冷媒により加熱され、高温状態となる。この高温の熱媒体は、ヒートポンプユニット１より流出し、熱媒体配管１２を経由して、再び貯湯タンクユニット１０に流入する。熱媒体は、その後、給湯熱交換器１９に流入し、水と熱交換を行うことで貯湯タンク１１内の水を加熱し、熱媒体は低温となる。この温度低下した熱媒体は、その後、再び熱媒体ポンプ１８に流入する。これにより、貯湯タンク１１内の水が熱媒体によって有効に加熱される。
【００２０】
（暖房運転モード）
次に、図４を参照して、暖房運転モードについて説明する。図４は、暖房運転モードにおける熱媒体の循環回路について説明するための図である。尚、図４中の矢印は冷媒および熱媒体の流れ方向を示している。給湯要求が出されていない状態で暖房要求が出されると暖房運転モードによる運転が行われる。暖房運転モードでは、この図に示すとおり、四方弁２０は入口ｂと出口ｄとが連通するように調整される。これにより、熱媒体ポンプ１８、冷媒−水熱交換器３、四方弁２０、および暖房熱交換器３１，３２が、熱媒体配管１３、熱媒体配管１２、バイパス配管２２、熱媒体配管１４、および熱媒体配管１５によって環状に接続された熱媒体の循環回路が形成される。この状態にてヒートポンプユニット１及び暖房ユニット３０の運転を実施する。そうすると、形成された循環回路では、熱媒体ポンプ１８により送流された熱媒体が貯湯タンクユニット１０より流出し、熱媒体配管１３を経由してヒートポンプユニット１に流入する。熱媒体は、ヒートポンプユニット１に流入後、冷媒−水熱交換器３にて冷媒により加熱され、高温状態となる。この高温の熱媒体は、ヒートポンプユニット１より流出し、熱媒体配管１２を経由して、再び貯湯タンクユニット１０に流入する。熱媒体は、その後、四方弁２０を経由して貯湯タンクユニット１０から流出し、熱媒体配管１４を経由して、暖房ユニット３０に流入する。暖房熱交換器３１，３２にて熱媒体と室内空気とが熱交換することにより室内を暖房し、熱媒体は低温となる。低温となった熱媒体は、暖房ユニット３０から流出し、熱媒体配管１５を経由して貯湯タンクユニット１０に流入し、再び熱媒体ポンプ１８に流入する。これにより、室内が熱媒体によって有効に加熱される。
【００２１】
（暖房給湯運転モード）
更に、図５を参照して、暖房給湯運転モードについて説明する。図５は、暖房給湯運転モードにおける熱媒体の循環回路について説明するための図である。尚、図５中の矢印は冷媒および熱媒体の流れ方向を示している。暖房要求と給湯要求との両要求が出されると暖房給湯運転モードによる運転が行われる。暖房給湯運転モードでは、この図に示すとおり、四方弁２０は入口ａと入口ｂとの流量配分を調整するとともに、出口ｃと出口ｄとの流量配分を調整する。これにより、熱媒体ポンプ１８、冷媒−水熱交換器３、給湯熱交換器１９、四方弁２０、および暖房熱交換器３１，３２が、熱媒体配管１３、熱媒体配管１２、熱媒体配管１４、および熱媒体配管１５によって環状に接続された熱媒体の循環回路が形成されるとともに、熱媒体の一部がバイパス配管２２，２３を通じて給湯熱交換器１９および暖房熱交換器３１，３２をそれぞれバイパスする通路が形成される。
【００２２】
暖房給湯運転モードでは、この状態にてヒートポンプユニット１、貯湯タンクユニット１０、および暖房ユニット３０の運転を実施する。その結果、形成された循環回路では、熱媒体ポンプ１８により送流された熱媒体が貯湯タンクユニット１０より流出し、熱媒体配管１３を経由してヒートポンプユニット１に流入する。熱媒体は、ヒートポンプユニット１に流入後、冷媒−水熱交換器３にて冷媒により加熱されて高温状態となる。この高温の熱媒体は、ヒートポンプユニット１より流出し、熱媒体配管１２を経由して再び貯湯タンクユニット１０に流入する。熱媒体の一部は、その後給湯熱交換器１９に流入し、水と熱交換を行うことで貯湯タンク１１内の水を加熱して低温となる。これにより、貯湯タンク１１内の水が熱媒体によって有効に加熱される。
【００２３】
給湯熱交換器１９から流出した熱媒体は、その後四方弁２０にてバイパス配管２２を経由した残りの熱媒体と合流し、その一部は貯湯タンクユニット１０から流出し、熱媒体配管１４を経由して、暖房ユニット３０に流入する。暖房熱交換器３１，３２にて熱媒体と室内空気とが熱交換することにより室内を暖房し、熱媒体は更に低温となる。低温となった熱媒体は、暖房ユニット３０から流出し、熱媒体配管１５を経由して貯湯タンクユニット１０に流入し、バイパス配管２３を経由した熱媒体と合流し再び熱媒体ポンプ１８に流入する。これにより、室内が熱媒体によって有効に加熱される。
【００２４】
四方弁２０の流入側の流量配分調整は、要求暖房能力に応じて制御される。すなわち、暖房熱交換器３１，３２に多大な能力が必要な場合には、四方弁２０は入口ｂから流入する熱媒体の流入配分が大きくなるようにその開度が調整される。具体的には、出口ｄから流出して暖房熱交換器３１，３２への流入する熱媒体の温度（流入温度）が温度センサ２５により検出され、この流入温度が要求暖房能力に応じて設定された目標温度（流入温度目標値）となるように、四方弁２０の流入側の流量配分が調整される。これにより、給湯熱交換器１９にて放熱していない高温の熱媒体の暖房熱交換器３１，３２への流入配分が増大される。一方、暖房熱交換器３１，３２に微小な能力が必要な場合には、四方弁２０は入口ａから流入する熱媒体の流入配分が大きくなるようにその開度が調整される。これにより、給湯熱交換器１９にて放熱した中温の熱媒体の暖房熱交換器３１，３２への流入配分が増大される。なお、要求暖房能力の設定は、例えば室内温度と目標室内温度とを比較して、室内温度が目標室内温度に対して低いほど多大な能力となるように設定することができる。
【００２５】
また、四方弁２０の流出側の流量配分調整は、要求暖房能力と四方弁２０の流入能力に応じで制御される。すなわち、四方弁２０の出口ｄから流出した熱媒体の暖房能力が要求暖房能力に対して過大である場合に、四方弁２０は出口ｃから流出する熱媒体の流入配分が大きくなるようにその開度が調整される。具体的には、暖房熱交換器３１，３２から流出した熱媒体の温度（流出温度）が温度センサ２６により検出され、この流出温度が要求暖房能力に応じて設定された目標温度（流出温度目標値）となるように、四方弁２０の流出側の流量配分が調整される。これにより、暖房熱交換器３１，３２へ流入する熱媒体の量が要求暖房能力に応じた適量となるように制限される。
【００２６】
上記の通り四方弁２０の入口側、出口側の流量調整を行うことで、目標室内温度に対する要求暖房能力に応じて、四方弁２０を経て熱媒体配管１４から送り込まれる熱媒体の温度と流量、すなわち暖房能力を制御することが可能となり、室内の快適性を損なわずに給湯暖房同時運転が可能となる。
【００２７】
以上説明したとおり、本実施の形態の暖房給湯システム１００では、四方弁２０を制御
することによって、熱媒体が給湯熱交換器１９と暖房熱交換器３１，３２とを循環する循
環回路を構成することができる。これにより、暖房要求と給湯要求とが同時に発生した場
合であっても、給湯運転をしながら暖房運転を実施することで、室温低下を最低限に抑え
ることができる。また、本実施の形態の暖房給湯システム１００では、暖房給湯運転モー
ドだけでなく、従来技術と同様の暖房運転モードや給湯運転モードについても、四方弁２
０を制御することによって、問題なく実現することができる。
【００２８】
ところで、上述した実施の形態では、四方弁２０を用いて２つの入口ａ，ｂおよび２つの出口ｃ，ｄの流量配分をそれぞれ調整することとしているが、四方弁２０に替えて２つの三方弁を用いることとしてもよい。具体的には、２つの入口ａ，ｂから流入する熱媒体の流量配分を調整した上で１つの出口へ導出する第１の三方弁と、第１の三方弁から流入する熱媒体の流量配分を調整した上で２つの出口ｃ，ｄから導出する第２の三方弁と、を四方弁２０に替えて設けることとしてもよい。これにより、四方弁２０を用いた場合と同様の動作を２つの三方弁を用いて行うことが可能となる。
【００２９】
また、上述した実施の形態では、温度センサ２５により検出される流入温度が流入温度目標値となるように、四方弁２０の流入側の流量配分を調整することとしているが、四方弁２０の流入側の流量配分を調整する方法はこれに限られない。すなわち、要求暖房能力に応じて四方弁２０の流入側の流量配分が調整されるのであれば、温度センサ２４によって検出される貯湯熱交換器１９から流出した熱媒体の温度や、温度センサ２６によって検出される流出温度等を更に考慮して、四方弁２０の流入側の流量配分を調整することとしてもよい。
【００３０】
また、上述した実施の形態では、温度センサ２６により検出される流出温度が要求暖房能力に応じて設定された流出温度目標値となるように、四方弁２０の流出側の流量配分を調整することとしているが、四方弁２０の流出側の流量配分を調整する方法はこれに限られない。すなわち、要求暖房能力に応じて四方弁２０の流出側の流量配分が調整されるのであれば、温度センサ２４によって検出される貯湯熱交換器１９から流出した熱媒体の温度が室温に対して極端に高い場合に、四方弁２０の出口ｃから流出する熱媒体の流量配分を減らすこととしてもよい。
【００３１】
実施の形態２．
［実施の形態２の構成］
図６は、本発明の実施の形態２としての暖房給湯システム２００の回路構成図である。図６に示す暖房給湯システム２００は、図１に示す暖房給湯システム１００の構成に加えて、熱媒体配管１３における熱媒体ポンプ１８の下流側と熱媒体配管１４を接続する熱媒体配管２７を備えている。熱媒体配管２７の途中には、当該熱媒体配管を流れる熱媒体の流量を調整するための流量調整弁２８が設けられている。流量調整弁２８としては、例えばグローブ弁またはバタフライ弁等、細やかな流量調整が可能なものが望ましい。
【００３２】
［実施の形態２の動作］
暖房給湯システム２００は、暖房ユニット３０に要求される暖房要求（すなわち、暖房熱交換器３１，３２において熱交換を行う要求）及び貯湯タンクユニット１０に要求される給湯要求（すなわち、給湯熱交換器１９において熱交換を行う要求）に応じて、ヒートポンプユニット１、貯湯タンクユニット１０及び暖房ユニット３０に搭載されている各機器の制御を行い、暖房運転モード、給湯運転モード、または暖房給湯運転モードを実行する。以下、各運転モードにおける運転動作について詳細に説明する。
【００３３】
（給湯運転モード）
給湯運転モードでは、流量調整弁２８が全閉に制御された状態で、実施の形態１の暖房給湯システム１００と同様の動作が行われる。つまり、給湯運転モードでは熱媒体が熱媒体配管２７を介して流通することはない。
【００３４】
（暖房運転モード）
暖房運転モードでは、流量調整弁２８が全閉に制御された状態で、実施の形態１の暖房給湯システム１００と同様の動作が行われる。つまり、暖房運転モードでは熱媒体が熱媒体配管２７を介して流通することはない。
【００３５】
（暖房給湯運転モード）
暖房運転モードでは、実施の形態１の暖房給湯システム１００の動作に加えて、流量調整弁２８によって熱媒体配管２７を流れる熱媒体の流量が調整される。より詳しくは、四方弁２０により出口ｃの流量配分が小さく調整されている場合、暖房熱交換器３１，３２への流量低下によって熱交換効率の低下や暖房温度ムラが発生する可能性がある。そこで、本実施の形態の暖房給湯システム２００では、このような不具合発生を低減するため、流量調整弁２８を調整して、暖房熱交換器３１，３２において熱交換を行った後の低温の熱媒体の一部を、熱媒体配管２７を介して暖房熱交換器３１，３２の上流側に再び導入させる。これにより、四方弁２０の流出側の流量配分調整によって暖房熱交換器３１，３２へ流入する熱媒体の量が制限されている場合であっても、一定の流量を確保することが可能となるので、上述した懸念点を払拭することができる。
【００３６】
なお、流量調整弁２８の開度は、四方弁２０の流出側の流量配分が上記不具合の発生する流量配分となった場合に、所定の開度に開弁することとしてもよいし、また、流量配分に応じてリニアに調整することとしてもよい。
【符号の説明】
【００３７】
１  ヒートポンプユニット、３  冷媒−水熱交換器（加熱手段）、１０  貯湯タンクユニット、１１  貯湯タンク、１２  熱媒体配管（循環配管）、１３  熱媒体配管（循環配管）、１４  熱媒体配管（循環配管）、１５  熱媒体配管（循環配管）、１８  熱媒体ポンプ、１９  給湯熱交換器、２０  四方弁（第１，第２の流量調整手段）、２２  バイパス配管（第１のバイパス配管）、２３  バイパス配管（第２のバイパス配管）、２４  温度センサ、２５  温度センサ（流入温度検出手段）、２６  温度センサ（流出温度検出手段）、２７  熱媒体配管（第３のバイパス配管）、２８  流量調整弁（第３の流量調整手段）、３０  暖房ユニット、３１，３２  暖房熱交換器
【図１】
0005892120.tif 000002
【図２】
0005892120.tif 000003
【図３】
0005892120.tif 000004
【図４】
0005892120.tif 000005
【図５】
0005892120.tif 000006
【図６】
0005892120.tif 000007